(57)【要約】【課題】火災警報器の火災警報を住居内各所で確認できる家庭用防災システムを、大掛かりな工事なしに安価に提供する。【解決手段】給湯機操作装置４に火災警報器１が発する火災検知信号の入力手段を設けるとともに、給湯機操作装置４に接続されている給湯機５もしくは前記とは別の給湯機操作装置もしくはその両方に対し、前記入力手段で入力した火災検知信号を出力するので、火災警報器１の発する火災検知信号出力を近傍にある給湯機操作装置４の火災検知信号入力を経て住居内の各所に設置された他の給湯機操作装置４に送信し、給湯機操作装置４を外部音響装置として利用して警報音や音声や文字などで居住者に火災発生を知らしめる。【選択図】　図１
2004116949.tif 000002
【特許請求の範囲】
【請求項１】
給湯機と有線または無線で接続された給湯機操作装置であって、火災警報器が発する火災検知信号の入力手段を備えるとともに、前記給湯機操作装置に接続されている給湯機もしくは前記とは別の給湯機操作装置もしくはその両方に対し、前記入力手段で入力した火災検知信号を出力することを特徴とする給湯機操作装置。
【請求項２】
請求項１記載の給湯機操作装置において、火災警報器が発する火災検知信号の入力手段と火災警報器の火災検知信号の出力回路とを通信線で接続することを特徴とする給湯機操作装置。
【請求項３】
請求項１記載の給湯機操作装置において、火災警報器が発する火災検知信号の入力手段は火災警報器の発する無線による火災検知信号を受信する無線信号受信手段であることを特徴とする給湯機操作装置。
【請求項４】
請求項１記載の給湯機操作装置において、火災警報器が発する火災検知信号の入力手段は火災警報器の発する警報音を検出する警報音検出手段であることを特徴とする給湯機操作装置。
【請求項５】
請求項１記載の給湯機操作装置であって、火災警報器に電源を供給することを特徴とする給湯機操作装置。
【請求項６】
給湯機と有線または無線で接続された給湯機操作装置であって、火災警報器が発する火災検知信号の入力手段を設けるとともに、前記入力手段で入力した火災検知信号を、火災発生を文字、絵表示、音声、警報音のいずれかもしくはその組合せで報知する外部音響装置へ出力する出力手段を設けたことを特徴とする給湯機操作装置。
【請求項７】
請求項６記載の給湯機操作装置であって、外部音響装置に電源を供給することを特徴とする給湯機操作装置。
【発明の詳細な説明】
【０００１】
【発明の属する技術分野】
本発明は、給湯機と有線または無線で接続された給湯機操作装置に火災報知に関わる機能を付加するためのものである。
【０００２】
【従来の技術】
従来、図４に示すように給湯機５は屋外に設置され、台所７、浴室８、居間１０には給湯温度の設定やふろへの自動湯張りなどの給湯機の操作を行うため給湯機５と給湯機操作装置通信線６で接続された給湯機操作装置４ａ、４ｃ、４ｂを設置している。
また、台所７、居間１０、寝室１１、階段１２には、それぞれ火災警報器１ａ、１ｂ、１ｃ、１ｄが備えられている。
さらに、住居の構造により火災警報器の発する警報音が他の居室で聞こえ難い場合は、台所７、浴室８、便所９、居間１０、寝室１１の各居室に他の居室で起こった火災も報知できるように外部音響装置２ｃ、２ｅ、２ｂ、２ｄ、２ａが設置され、火災警報器１ａ、１ｂ、１ｃ、１ｄと、火災警報器通信線３ａで接続されている。
なお、図４では図示していないが火災警報器１ａ、１ｂ、１ｃ、１ｄと外部音響装置２ｃ、２ｅ、２ｂ、２ｄ、２ａには作動のための電源が必要であり、個々に電源（例えばＡＣ１００Ｖ）を接続するか電池を内蔵する必要がある。特に後者の電池式の火災警報器および外部音響装置は電源工事が不要であるため既設住宅への設置に適している。
【０００３】
次に、火災警報器１（１ａ、１ｂ、１ｃ、１ｄ）と外部音響装置２（２ａ、２ｂ、２ｃ、２ｄ、２ｅ）の動作を図５の火災警報器の一例を示すブロック図および図６の外部音響装置の一例を示すブロック図により説明する。
火災警報器１は、火炎検出判定回路１７が火災よる熱や煙、赤外線などを検出し火災発生と判定すると、音響装置駆動回路１９により火災警報器１の周辺に向けて警報音を発するとともに、火災検知信号出力回路２０より火災検知信号（接点出力）を出力する。
また、火災警報器１には、火災検出判定回路１７及び音響装置駆動回路１９へ電源を供給する電源回路１８が備えられている。電源回路１８へはＡＣ１００Ｖを接続する。
あるいは、電源回路１８の代わりに電池を内蔵しているタイプもある（例えば、特許文献１参照。）。
なお火災検知信号出力回路２０と、図６に示す外部音響装置２の火災検知信号入力回路２１をあらかじめ通信線により接続しておくと、火災発生時に火災警報器１の警報音に連動して外部音響装置２からも警報音を出すことができる。住居の構造により火災警報器の発する警報音が他の居室で聞こえ難い場合、この外部音響装置を該居室に設置する必要がある。
また、外部音響装置２には、音響装置駆動回路２３へ電源を供給する電源回路２２が備えられている。電源回路２２へはＡＣ１００Ｖを接続する。
あるいは、電源回路２２の代わりに電池を内蔵しているタイプもある。
【０００４】
【特許文献１】
特開平７−１８２５７４号公報（第４頁、第２図）
【０００５】
【発明が解決しようとする課題】
火災発生を確実に居住者に知らしめ早期に消火と避難の機会を与えることが火災警報器設置の目的であり、そのため火災警報器および外部音響装置の警報音は住居内のどこでも聞こえるようにすべきである。しかしそれには外部音響装置を複数台設置する必要があり外部音響装置通信線を居室をまたがり各所に敷設することになるため大掛かりな工事が必要であり費用がかかるという問題がある。特に既設住宅に火災警報器を設置する場合、火災警報器自体は前述の電池式のものを利用すれば電源配線工事が不要になるものの外部音響装置への通信線の接続は必要であり多大な工事費用がかかるため、住居内全域で警報音が聞けるようにすることをあきらめざるをえない場合が多かった。
【０００６】
これに対し、特開平７−１８２５７４に見られるように火災警報器と外部音響装置との間を無線により接続するものが考案されているが、住居全域に届く無線出力を得ようとすると火災警報器の単価が上がること、電池式のものにおいては電池寿命が短くなることという問題があり普及にはいたっていない。
従って、本発明の目的は火災警報器の火災警報を住居内各所で確認できる家庭用防災システムを、大掛かりな工事なしに安価に提供することにある。
【０００７】
【課題を解決するための手段及びその作用・効果】
上記目的を達成するために請求項１記載の給湯機操作装置は、給湯機と有線または無線で接続された給湯機操作装置であって、火災警報器が発する火災検知信号の入力手段を備えるとともに、前記給湯機操作装置に接続されている給湯機もしくは前記とは別の給湯機操作装置もしくはその両方に対し、前記入力手段で入力した火災検知信号を出力する給湯機操作装置であるので、火災警報器の発する火災検知信号出力を近傍にある給湯機操作装置の火災検知信号入力を経て住居内の各所に設置された他の給湯機操作装置に送信し、前記給湯機操作装置を外部音響装置として利用して警報音や音声や文字などで居住者に火災発生を知らしめる手段を提供することができる。これにより外部音響装置の必要数と外部音響装置通信線の敷設工事が軽減され、火災警報器の火災警報を住居内各所で確認できる家庭用防災システムを、安価で提供できる。
【０００８】
請求項２記載の給湯機操作装置は、請求項１記載の給湯機操作装置において、火災警報器が発する火災検知信号の入力手段と火災警報器の火災検知信号の出力回路とを通信線で接続する給湯機操作装置であるので、既存の火災警報器で外部音響装置への接続のための火災検知信号出力回路をもつものをそのまま利用することができる。
【０００９】
請求項３記載の給湯機操作装置は、請求項１記載の給湯機操作装置において、火災警報器が発する火災検知信号の入力手段は火災警報器の発する無線による火災検知信号を受信する無線信号受信手段である給湯機操作装置であるので、通信線無しで火災警報器の発する無線による火災検知信号を給湯機操作装置に送信することができる。なお、火災警報器に追加する無線による送信機能は送信可能範囲を近傍にある給湯機操作装置までに限定できるので微弱電波を利用したものや赤外線を利用したものなど安価でかつ電池式での使用に耐えうる低消費電力のものが使用できる。これにより火災警報器本体の無線送信機能追加による単価上昇を押え、かつ火災警報器と給湯機操作装置を接続するための通信線敷設が不要となるため、火災警報器の火災警報を住居内各所で確認できる家庭用防災システムを安価に提供することができる。
【００１０】
請求項４記載の給湯機操作装置は、請求項１記載の給湯機操作装置において、火災警報器が発する火災検知信号の入力手段は火災警報器の発する警報音を検出する警報音検出手段である給湯機操作装置であるので、火災検知信号の出力回路を持たない火災警報器を使用することができ、火災発生時には火災警報器が発した火災警報音を近傍に設置した給湯機操作装置で検出し火災検知信号として住居内の他の居室にある給湯機操作装置に送り、信号を受けた給湯機操作装置で音声や文字や絵表示による表示手段により火災の発生を居住者に知らせることができる。これにより火災警報器本体は火災検知信号の出力を持たないため安価に製造でき、かつ火災警報器と給湯機操作装置を接続するための通信線敷設が不要となるため、安価な家庭用防災システムとして提供できる。
【００１１】
請求項５記載の給湯機操作装置は、請求項１記載の給湯機操作装置であって、火災警報器に電源を供給する給湯機操作装置であるため、火災警報器の電池交換もしくは電源線の設置をする必要がない。
【００１２】
請求項６記載の給湯機操作装置は、給湯機と有線または無線で接続された給湯機操作装置であって、火災警報器が発する火災検知信号の入力手段を設けるとともに、前記入力手段で入力した火災検知信号を、火災発生を文字、絵表示、音声、警報音のいずれかもしくはその組合せで報知する外部音響装置へ出力する出力手段を設けた給湯機操作装置であるので、外部音響装置へ火災検知信号を入力するための通信線を火災警報器より近くにある給湯機操作装置から配線できるため最低限の配線敷設だけで設置することができる。
【００１３】
請求項７記載の給湯機操作装置は、請求項６記載の給湯機操作装置であって、外部音響装置に電源を供給する給湯機操作装置であるため、外部音響装置の電池交換もしくは電源線の設置をする必要がない。
【００１４】
【発明の実施の形態】
以下、本発明の実施の形態を、図面により詳細に説明する。
図１は、本発明の一実施形態に係るシステム構成図である。
台所７、居間１０、寝室１１および階段１２にはそれぞれ火災警報器１ａ、１ｂ、１ｃ、１ｄが設置されており、寝室１１および便所９には外部音響装置２ａ、２ｂがそれぞれ設置されている。そして火災警報器通信線３ａにより火災警報器１ｂ、１ｃ、１ｄと給湯機操作装置４ｂが、外部音響装置通信線３３ａにより外部音響装置２ａと給湯機操作装置４ｂが接続されており、火災警報器通信線３ｂにより火災警報器１ａと給湯機操作装置４ａが接続され、さらに外部音響装置通信線３３ｃにより外部音響装置２ｂと給湯機操作装置４ｃが接続されている。給湯機操作装置４ａ、４ｂ、４ｃは給湯機操作装置通信線６によりそれぞれ給湯機５に接続されている。なお、無線通信とすると、給湯機操作装置通信線６は不要となる。
【００１５】
図２は、本発明の給湯機操作装置の一例を示す外観図である。
給湯機操作装置４ａは、給湯機の運転状況や操作内容を文字や絵表示により表示するための液晶表示部１４や、音声や警報音による報知のためのスピーカー１５、操作のための操作スイッチ１３及び２４、インターホン機能により給湯機操作装置間で通話するためのマイクロホン１６を備えている。
【００１６】
図３は、本発明に係る給湯機操作装置のブロック図である。
給湯機操作装置４ａには、操作スイッチ１３、２４よりの操作信号に基づいて、液晶表示部１４や通信回路２７を介して通信情報を処理するマイクロコンピュータ２５が備えられるとともに、給湯機操作装置通信線６を介して給湯機５より供給される電力を給湯機操作装置４ａを動作させるための所定電圧に調整して、マイクロコンピュータ２５等に動作用電力を供給する電源回路１（２６）が備えられている。
また、給湯機操作装置４ａには、音声や警報音による報知のためのスピーカー１５及びスピーカー１５を駆動させるためのスピーカー駆動回路３１、インターホン機能により給湯機操作装置間で通話するためのマイクロホン１６及び音声入力回路３２が備えられている。
さらに、火災警報器１より火災警報器通信線３ａ、３ｂを介して送られてくる火災検知信号を入力するための火災検知信号入力回路２９、外部音響装置２へ外部音響装置通信線３３ａ、３３ｃを介して火災検知信号を出力する火災検知信号出力回路３０が備えられている。
また、火災警報器１や外部音響装置２の動作用の電圧をつくるための電源回路２（２８）が備えられている。
【００１７】
次に、台所７で火災が発生した場合を例として動作を説明する。
台所７で火災が発生すると、まず火災警報器１ａが、火災による熱や煙を検出し内蔵された音響装置駆動回路１９により警報音を発するとともに火災検知信号出力回路２０より火災検知信号を火災警報器通信線３ｂに出力する。給湯機操作装置４ａは火災警報器通信線３ｂ経由で火災警報器１ａの発した火災検知信号を受信すると、液晶表示部１４で火災発生を文字表示するとともにスピーカー１５より火災発生を音声により報知し、さらに給湯機５と給湯機操作装置４ｂ、４ｃに火災検知信号を給湯機操作装置通信線６を介して出力する。火災検知信号を受信した給湯機操作装置４ｂ、４ｃも給湯機操作装置４ａと同じように液晶表示部１４で火災発生を文字表示するとともにスピーカー１５より火災発生を音声により報知し、さらに外部音響装置２ａ、２ｂに外部音響装置通信線３３ａ、３３ｃを介して火災検知信号を出力する。火災検知信号を受信した外部音響装置２ａ、２ｂは、音響装置駆動回路２３より火災発生を警報音により報知する。
【００１８】
なお、図１の中では火災警報器１ａ、１ｂ、１ｃ、１ｄおよび外部音響装置２ａ、２ｂの電源については図示していないが、家庭用電源（ＡＣ１００Ｖ）に接続するか電池を内蔵する、もしくは給湯機操作装置４に接続し、電源回路２（２８）より電源を供給する。
このように図１の例は、台所７で火災が発生した場合に浴室８や便所９などを含めたすべての居室で警報音や文字や音声により居住者に報知できる防災システムでありながら、図４の従来例に較べ外部警報装置が少なく、その外部警報装置を接続するための通信線も削減できているので大掛かりな工事なしに安価に提供することができる。
また、本例では火災警報器１ａ、１ｂ、１ｃ、１ｄと給湯機操作装置４ａ、４ｂの間および外部音響装置２ａ、２ｂと給湯機操作装置４ｂ、４ｃの間を通信線で接続したものとして説明したが、微弱電波もしくは赤外線を利用し通信線なしで火災検知信号の伝達を行えば通信線の配線工事がさらに減り、施工が容易になる。
その場合、図３に示す火災検知信号入力回路２９は無線信号受信手段を備えたものとなり、また、火災検知信号出力回路３０は無線信号送信手段を備えたものとなる。
そして、図５に示す火災警報器１の火災検知信号出力回路２０は無線信号送信手段を備えたものとなり、図６に示す外部音響装置２の火災検知入力回路２１は無線信号受信手段を備えたものとなる。
【００１９】
さらに、別の方法として給湯機操作装置にインターホン用として備えたマイクロホンで火災警報器の発する警報音を検出することで火災検知信号とする方法もあり、この場合火災警報器として火災検知信号出力回路を持たない安価なものが利用できるので防災システムとして最も安価に提供することができる。
この場合は、図３に示す火災検知信号入力手段２９は不要となり、火災警報器の発する警報音はマイクロホン１６で検出され、音声入力回路３２を介してマイクロコンピュータ２５へ入力される。そして、音声入力回路３２又はマイクロコンピュータ２５にて警報音特有の周波数を検出して火災と判断する。
一方、図５に示す火災警報器１の火災検知信号出力回路２０は不要となる。
【図面の簡単な説明】
【図１】本発明に係る給湯機操作装置を適用した火災警報器設置の一実施例を示す
システム構成図
【図２】給湯機操作装置の一例を示す外観図
【図３】本発明に係る給湯機操作装置のブロック図
【図４】従来の火災警報器設置の一例を示す設置図
【図５】火災警報器の一例を示すブロック図
【図６】外部音響装置の一例を示すブロック図
【符号の説明】
１（１ａ、１ｂ、１ｃ、１ｄ）　　　　火災警報器
２（２ａ、２ｂ、２ｃ、２ｄ、２ｅ）　外部音響装置
３（３ａ、３ｂ）　　　　　　　　　　火災警報器通信線
４（４ａ、４ｂ、４ｃ）　　　　　　　給湯機操作装置
５　　　　　　　　給湯機
６　　　　　　　　給湯機操作装置通信線
７　　　　　　　　台所
８　　　　　　　　浴室
９　　　　　　　　便所
１０　　　　　　　居間
１１　　　　　　　寝室
１２　　　　　　　階段
１３、２４　　　　操作スイッチ
１４　　　　　　　液晶表示部
１５　　　　　　　スピーカー
１６　　　　　　　マイクロホン
１７　　　　　　　火炎検出判定回路
１８、２２　　　　電源回路
１９、２３　　　　音響装置駆動回路
２０、２９　　　　火災検知信号出力回路
２１、３０　　　　火災検知信号入力回路
２５　　　　　　　マイクロコンピュータ
２６　　　　　　　電源回路１
２７　　　　　　　通信回路
２８　　　　　　　電源回路２
３１　　　　　　　スピーカー駆動回路
３２　　　　　　　音声入力回路
３３ａ、３３ｃ　　外部音響装置通信線
【図１】
2004116949.tif 000003
【図２】
2004116949.tif 000004
【図３】
2004116949.tif 000005
【図４】
2004116949.tif 000006
【図５】
2004116949.tif 000007
【図６】
2004116949.tif 000008